(57)【要約】【課題】フィルタ部材上の特定の箇所に集中的にゴミが付着することを抑制しつつ、デザイン性を改善することができる循環アダプタを提供する。【解決手段】本発明の一態様に係る循環アダプタは、仕切部材と、フィルタ部材と、抵抗板とを備える。仕切部材には、湯水が吸入される吸入口が設けられる。フィルタ部材は、吸入口を覆うように前記仕切部材に取り付けられる。抵抗板は、吸入口とフィルタ部材との間に配置され、吸入口の少なくとも一部を覆う。【選択図】図１
2019056537.tif 000002
【特許請求の範囲】
【請求項１】
湯水が吸入される吸入口が設けられた仕切部材と、
前記吸入口を覆うように前記仕切部材に取り付けられたフィルタ部材と、
前記吸入口と前記フィルタ部材との間に配置され、前記吸入口の少なくとも一部を覆う抵抗板とを備える、循環アダプタ。
【請求項２】
前記フィルタ部材は、筒状の第１側壁と、前記第１側壁に連なり、開口が設けられた第１底壁とを有する第１ガイド部材と、筒状の第２側壁と、前記第２側壁に連なる第２底壁とを有する第２ガイド部材と、前記開口を覆うように前記第１底壁と前記第２底壁とに挟み込まれる平板形状のフィルタ板とにより構成され、
前記第１ガイド部材は、前記第１側壁の内周面と前記第２側壁の外周面とが対向するように前記第２ガイド部材に取り付けられ、
前記第２ガイド部材は、前記第２側壁の内周面が前記仕切部材の側面と対向するように前記仕切部材に取り付けられ、
前記第２底壁は、平面視において前記吸入口と重なるように配置される中央部を含む、請求項１に記載の循環アダプタ。
【請求項３】
前記第２底壁は、前記中央部から前記第２側壁の径方向に沿って放射状に延在する複数の第１桟部をさらに含む、請求項２に記載の循環アダプタ。
【請求項４】
前記第２底壁は、前記中央部と取り囲むように前記第２側壁の周方向に沿って延在し、かつ、前記第２側壁の径方向において間隔を置いて配置される複数の第２桟部をさらに含む、請求項３に記載の循環アダプタ。
【請求項５】
前記フィルタ板には、前記フィルタ板を厚さ方向に貫通する複数の貫通孔が設けられ、
前記フィルタ板は、平面視において、前記貫通孔が設けられていない第１領域と、前記貫通孔が設けられている第２領域とを有し、
前記第２領域は、全周にわたって前記第１領域を取り囲む、請求項２〜請求項４のいずれか１項に記載の循環アダプタ。
【請求項６】
前記第２領域は、平面視において前記吸入口と重なるように配置される、請求項５に記載の循環アダプタ。
【請求項７】
前記フィルタ板には、前記フィルタ板を厚さ方向に貫通する複数の貫通孔が設けられ、
前記貫通孔は、平面視において、前記フィルタ板の全面にわたって設けられる、請求項２〜請求項４のいずれか１項に記載の循環アダプタ。
【請求項８】
前記抵抗板は、前記仕切部材と一体に形成されている、請求項１〜請求項７のいずれか１項に記載の循環アダプタ。
【請求項９】
請求項１〜請求項８のいずれか１項に記載の前記循環アダプタを備える、温水装置。
【発明の詳細な説明】
【技術分野】
【０００１】
本発明は、循環アダプタ及び温水装置に関する。
【背景技術】
【０００２】
従来から、例えば特開２０１６−１２１８２５号公報（特許文献１）に記載の循環アダプタが知られている。特許文献１に記載の循環アダプタは、仕切具を有している。仕切具は、上面に吸入口が設けられている。仕切具の内部には、流路が設けられている。吸入口は、仕切具の内部に形成されている流路と接続している。
【０００３】
特許文献１に記載の循環アダプタは、フィルタカバーをさらに有している。フィルタカバーは、側面と、側面に連なる底面とを有している。フィルタカバーの底面には、多数の貫通孔が設けられている。貫通孔は、フィルタカバーの底面を厚さ方向に貫通している。
【０００４】
フィルタカバーの底面は、第１領域と、第２領域と、複数の第３領域とを有している。第１領域は、貫通孔が設けられていない領域である。第１領域は、フィルタカバーの底面の中心付近において、円形に形成されている。第２領域は、貫通孔が設けられている領域である。第２領域は、第１領域を取り囲むように形成されている。第３領域は、貫通孔が設けられていない領域である。第３領域は、径方向に沿って第１領域から延在するように形成されている。
【０００５】
フィルタカバーは、仕切具に取り付けられることにより、仕切具の上面に設けられた吸入口を覆っている。例えば追い焚き動作を行う際には、浴槽内の湯水が、循環アダプタに吸い込まれる。より具体的には、浴槽内の湯水は、フィルタカバーに設けられた貫通孔及び仕切具の上面に設けられた吸入口を介して仕切具の内部に設けられた流路を流れることにより、循環アダプタに吸い込まれる。
【先行技術文献】
【特許文献】
【０００６】
【特許文献１】特開２０１６−１２１８２５号公報
【発明の概要】
【発明が解決しようとする課題】
【０００７】
浴槽内の湯水に含まれるゴミ（毛髪、湯垢等）は、浴槽内の湯水が循環アダプタに吸い込まれる際、フィルタカバーに捕捉される。循環アダプタに吸い込まれる湯水の流速は、仕切具に設けられた吸入口と対向する位置において、最も速くなる。そのため、循環アダプタに吸い込まれる湯水の流れを妨げる箇所がない場合には、仕切具に設けられた吸入口に対向しているフィルタカバー上の位置に、湯水の流れが集中する。その結果、仕切具に設けられた吸入口に対向しているフィルタカバー上の位置に、集中的に湯水に含まれるゴミが付着する。
【０００８】
このような事態を防止するため、特許文献１に記載の循環アダプタにおいては、第１領域が設けられている。特許文献１に記載の循環アダプタにおいては、第１領域を取り囲むように第２領域が形成されていることにより、フィルタカバーの底面における剛性が低下する。これに対処するために、第３領域が形成される必要があるが、これによりフィルタカバーの底面におけるデザインの自由度が低下する。すなわち、特許文献１に記載の循環アダプタは、フィルタカバーの底面におけるデザインの自由度に改善の余地がある。
【０００９】
本発明は、上記の従来技術の問題点に鑑みてなされたものである。より具体的には、本発明は、フィルタ部材上の特定の箇所に集中的にゴミが付着することを抑制しつつ、デザイン性を改善することができる循環アダプタを提供するものである。
【課題を解決するための手段】
【００１０】
本発明の一態様に係る循環アダプタは、仕切部材と、フィルタ部材と、抵抗板とを備える。仕切部材には、湯水が吸入される吸入口が設けられる。フィルタ部材は、吸入口を覆うように前記仕切部材に取り付けられる。抵抗板は、吸入口とフィルタ部材との間に配置され、吸入口の少なくとも一部を覆う。
【００１１】
上記の循環アダプタにおいては、吸入口に流れ込もうとする湯水の流速が、抵抗板により減少する。その結果、循環アダプタに吸い込まれる湯水の流れは、フィルタ部材上の特定の箇所に集中せずに分散される。そのため、上記の循環アダプタによると、フィルタ部材上の特定の箇所に集中的にゴミが付着することを抑制できる。また、上記の循環アダプタにおいては、フィルタ部材に湯水の流れを妨げる部分を設ける必要がない。そのため、フィルタ部材のデザインの自由度が上がる。以上により、上記の循環アダプタによると、デザイン性を改善することができる。
【００１２】
上記の循環アダプタにおいては、フィルタ部材は、第１ガイド部材と、第２ガイド部材と、平板状のフィルタ板とにより構成されていてもよい。第１ガイド部材は、筒状の第１側壁と、第１側壁に連なり、開口が設けられた第１底壁とを有していてもよい。第２ガイド部材は、筒状の第２側壁と、第２側壁に連なる第２底壁とを有していてもよい。フィルタ板は、開口を覆うように、第１底壁と第２底壁とに挟み込まれていてもよい。第１ガイド部材は、第１側壁の内周面と第２側壁の外周面とが対向するように第２ガイド部材に取り付けられていてもよい。第２ガイド部材は、第２側壁の内周面が仕切部材の側面と対向するように仕切部材に取り付けられていてもよい。第２底壁は、平面視において吸入口と重なるように配置される中央部を含んでいてもよい。
【００１３】
この場合には、吸入口に流れ込もうとする湯水の流速が、第２底壁の中央部によっても減少する。その結果、循環アダプタに吸い込まれる湯水の流れは、さらに分散される。そのため、この場合には、フィルタ部材上の特定の箇所に集中的にゴミが付着することをさらに抑制できる。
【００１４】
上記の循環アダプタにおいて、第２底壁は、中央部から第２側壁の径方向に沿って放射状に延在する複数の第１桟部を含んでいてもよい。
【００１５】
この場合には、フィルタ板の変形は、中央部及び第１桟部で支持されることにより抑制される。そのため、この場合には、デザイン性を追求してフィルタ板の剛性が低下したとしても、フィルタ板が変形することを抑制できる。
【００１６】
上記の循環フィルタにおいては、第２底壁は、中央部と取り囲むように第２側壁の周方向に沿って延在し、かつ、第２側壁の径方向において間隔を置いて配置される複数の第２桟部をさらに含んでいてもよい。
【００１７】
この場合には、第１桟部と第２桟部とにより画される開口が、第２側壁の径方向に沿って中央部から離れるほど大きくなる。その結果、湯水が第２底壁を通過する際の抵抗が、中央部から第２側壁の径方向に沿って離れるほど小さくなり、循環アダプタに吸い込まれる湯水の流れが、さらに分散される。そのため、この場合には、フィルタ部材上の特定の箇所に集中的にゴミが付着することをさらに抑制できる。
【００１８】
上記の循環アダプタにおいて、フィルタ板は、平面視において、第１領域と、第２領域とにより構成されていてもよい。第１領域においては、貫通孔が設けられていなくてもよい。第２領域においては、貫通孔が設けられていてもよい。第２領域は、全周にわたって第１領域を取り囲んでいてもよい。
【００１９】
上記の循環アダプタにおいては、第２領域は、平面視において吸入口と重なるように配置されていてもよい。この場合には、吸入口に流れ込もうとする湯水の流速がフィルタ板の第２領域によっても減少するため、循環アダプタに吸い込まれる湯水の流れがさらに分散される。
【００２０】
上記の循環アダプタにおいては、貫通孔は、平面視において、フィルタ板の全面にわたって設けられていてもよい。上記の循環アダプタにおいて、抵抗板は、仕切部材と一体に形成されていてもよい。
【００２１】
本発明の一態様に係る温水装置は、上記の循環アダプタを備える。
【発明の効果】
【００２２】
本発明の一態様に係る循環アダプタ及び温水装置によると、デザイン性の悪化を抑制しつつ、フィルタ部材上の特定の箇所に集中的にゴミが付着することを抑制できる。
【図面の簡単な説明】
【００２３】
【図１】実施形態に係る循環アダプタ１０の分解斜視図である。
【図２】実施形態に係る循環アダプタ１０における仕切部材１の分解斜視図である。
【図３】実施形態に係る循環アダプタ１０における仕切部材１の断面図である。
【図４】実施形態に係る循環アダプタ１０におけるフィルタ部材２の分解斜視図である。
【図５】実施形態に係る循環アダプタ１０におけるフィルタ板２３の斜視図である。
【図６】実施形態に係る循環アダプタ１０の変形例におけるフィルタ板２３の斜視図である。
【図７】実施形態に係る循環アダプタ１０における配管接続部５の断面図である。
【図８】実施形態に係る温水装置１００の模式図である。
【発明を実施するための形態】
【００２４】
本発明の実施形態の詳細を、図面を参照して説明する。以下の図面においては、同一又は相当する部分には同一の参照符号を付し、その説明は繰り返さないものとする。
【００２５】
（実施形態に係る循環アダプタ１０の構成）
以下に、実施形態に係る循環アダプタ１０の構成を、図１〜７を参照して説明する。図１に示すように、循環アダプタ１０は、仕切部材１と、フィルタ部材２と、抵抗板３と、中間連結部４と、配管接続部５とを有している。
【００２６】
仕切部材１は、側面１ａと、上面１ｂと、底面１ｃとを有している。底面１ｃは、上面１ｂの反対面である。上面１ｂ及び底面１ｃは、側面１ａに連なっている。仕切部材１の内部には、第１流路と、第２流路と、第３流路と、第４流路とが設けられている。側面１ａには、吐出口１ｈ及び吐出口１ｉが設けられている。仕切部材１には、吸入口１ｊ及び吸入口１ｋが設けられている。より具体的には、上面１ｂには、吸入口１ｊ及び吸入口１ｋが設けられている。
【００２７】
図２に示すように、仕切部材１は、第１部材１１と、第２部材１２と、弁体１３とにより構成されている。第１部材１１は、仕切部材１の底面１ｃ側を構成する部材である。第２部材１２は、仕切部材１の上面１ｂ側を構成する部材である。第１部材１１及び第２部材１２は、例えば樹脂材料により形成されている。弁体１３は、例えばゴム等の可撓性材料により形成されている。
【００２８】
第１部材１１は、底壁１１ａと、側壁１１ｂと、接続管１１ｃとを有している。第１部材１１は、第１リブ１１ｄと、第２リブ１１ｅと、第３リブ１１ｆと、第４リブ１１ｇとをさらに有している。
【００２９】
底壁１１ａには、第１開口１１ａａと、第２開口１１ａｂと、第３開口１１ａｃと、第４開口１１ａｄとが設けられている。第１開口１１ａａ、第２開口１１ａｂ、第３開口１１ａｃ及び第４開口１１ａｄは、底壁１１ａを厚さ方向に貫通している。
【００３０】
側壁１１ｂは、底壁１１ａに連なっている。側壁１１ｂは、リング状の形状を有している。側壁１１ｂには、吐出口１ｈと、吐出口１ｉとが設けられている。吐出口１ｈ及び吐出口１ｉは、側壁１１ｂを厚さ方向に貫通している。すなわち、吐出口１ｈ及び吐出口１ｉは、内周面から外周面に向かう方向に側壁１１ｂを貫通している。
【００３１】
接続管１１ｃは、底壁１１ａに取り付けられている。接続管１１ｃは、底壁１１ａと交差する方向に延在している。接続管１１ｃは、筒状形状を有している。好ましくは、接続管１１ｃは、円筒形状を有している。すなわち、接続管１１ｃは、内部が中空になっている。第１開口１１ａａ及び第３開口１１ａｃは、接続管１１ｃの内部と接続している。なお、第２開口１１ａｂ及び第４開口１１ａｄは、接続管１１ｃの内部と接続していない。
【００３２】
第１リブ１１ｄ、第２リブ１１ｅ、第３リブ１１ｆ及び第４リブ１１ｇは、長手方向が側壁１１ｂの径方向に沿うように、側壁１１ｂから延在している。第１リブ１１ｄ、第２リブ１１ｅ、第３リブ１１ｆ及び第４リブ１１ｇは、側壁１１ｂと反対側の端において、互いに連結されていない。第１リブ１１ｄ、第２リブ１１ｅ、第３リブ１１ｆ及び第４リブ１１ｇは、短手方向が底壁１１ａと交差する方向に沿うように、底壁１１ａから延在している。
【００３３】
第１リブ１１ｄは、第１開口１１ａａと第２開口１１ａｂとの間に配置されている。第２リブ１１ｅは、第２開口１１ａｂと第３開口１１ａｃとの間に配置されている。第３リブ１１ｆは、第３開口１１ａｃと第４開口１１ａｄとの間に配置されている。第４リブ１１ｇは、第４開口１１ａｄと第１開口１１ａａとの間に配置されている。
【００３４】
第２リブ１１ｅに接続している位置と第３リブ１１ｆに接続している位置との間にある側壁１１ｂには、吐出口１ｈが配置されている。第３リブ１１ｆに接続している位置と第４リブ１１ｇに接続している位置との間にある側壁１１ｂには、吐出口１ｉが配置されている。
【００３５】
第２部材１２には、吸入口１ｊと、吸入口１ｋとが設けられている。吸入口１ｊ及び吸入口１ｋは、第２部材１２を厚さ方向に貫通している。第２部材１２は、第１部材１１に取り付けられている。より具体的には、第２部材１２は、側壁１１ｂの底壁１１ａとは反対側の端に取り付けられている。また、第２部材１２は、吸入口１ｊが第１開口１１ａａと対向し、かつ吸入口１ｋが第２開口１１ａｂとが対向するように、第１部材１１に取り付けられている。
【００３６】
第１部材１１と第２部材１２とが取り付けられた状態において、第１リブ１１ｄ、第２リブ１１ｅ、第３リブ１１ｆ及び第４リブ１１ｇは、第２部材１２に接している。したがって、仕切部材１の内部には、底壁１１ａ、側壁１１ｂ、第１リブ１１ｄ、第４リブ１１ｇ及び第２部材１２により画される第１流路と、底壁１１ａ、側壁１１ｂ、第１リブ１１ｄ、第２リブ１１ｅ及び第２部材１２により画される第２流路と、底壁１１ａ、側壁１１ｂ、第２リブ１１ｅ、第３リブ１１ｆ及び第２部材１２により画される第３流路と、底壁１１ａ、側壁１１ｂ、第３リブ１１ｆ、第４リブ１１ｇ及び第２部材１２により画される第４流路とが形成されている。
【００３７】
吸入口１ｊは、第１流路に接続している。第１流路は、第１開口１１ａａを介して、接続管１１ｃに接続している。吸入口１ｋ及び第２開口１１ａｂは、第２流路に接続している。吐出口１ｈは、第３流路に接続している。第３流路は、第３開口１１ａｃを介して、接続管１１ｃに接続している。吐出口１ｉ及び第４開口１１ａｄは、第４流路に接続している。
【００３８】
弁体１３は、仕切部材１の内部に位置している。弁体１３は、シート状の形状を有している。弁体１３は、第１部分１３ａと、第２部分１３ｂと、第３部分１３ｃと、第４部分１３ｄとを有している。第１部分１３ａ、第２部分１３ｂ、第３部分１３ｃ及び第４部分１３ｄは、弁体１３の中心部においてのみ、互いに繋がっている。このことを別の観点からいえば、第１部分１３ａと第２部分１３ｂとの間、第２部分１３ｂと第３部分１３ｃとの間、第３部分１３ｃと第４部分１３ｄとの間及び第４部分１３ｄと第１部分１３ａとの間には、弁体１３の周囲から中心部に向かう方向の切込みが設けられている。
【００３９】
弁体１３は、第１部分１３ａが第１開口１１ａａを覆い、第２部分１３ｂが第２開口１１ａｂを覆い、第３部分１３ｃが第３開口１１ａｃを覆い、かつ第４部分１３ｄが第４開口１１ａｄを覆うように、配置されている。
【００４０】
第１部分１３ａ及び第２部分１３ｂは、第１開口１１ａａ及び第２開口１１ａｂを介して仕切部材１の内部から流出する湯水の流れを許容するが、第１開口１１ａａ及び第２開口１１ａｂを介して仕切部材１の内部へと流入する湯水の流れを許容しない逆止弁として構成されている。
【００４１】
第３部分１３ｃ及び第４部分１３ｄは、第３開口１１ａｃ及び第４開口１１ａｄを介して仕切部材１の内部へと流入する湯水の流れを許容するが、第３部分１３ｃ及び第４部分１３ｄは、第３開口１１ａｃ及び第４開口１１ａｄを介して仕切部材１の内部から流入する湯水の流れを許容しない逆止弁として構成されている。
【００４２】
フィルタ部材２は、吸入口１ｊ及び吸入口１ｋを覆うように仕切部材１に取り付けられている。より具体的には、フィルタ部材２は、上面１ｂを覆うように仕切部材１に取り付けられている。フィルタ部材２は、吐出口２１ａａが吐出口１ｈと重なり、かつ吐出口２１ａｂが吐出口１ｉと重なるように、仕切部材１に取り付けられている。図４に示すように、フィルタ部材２は、第１ガイド部材２１と、第２ガイド部材２２と、フィルタ板２３とを有している。第１ガイド部材２１及び第２ガイド部材２２は、例えば樹脂材料により形成されている。フィルタ板２３は、ステンレス鋼等の耐食性のある金属材料により形成されている。
【００４３】
第１ガイド部材２１は、第１側壁２１ａと、第１底壁２１ｂとを有している。第１側壁２１ａは、筒状の形状を有している。より具体的には、第１側壁２１ａは、円筒形状を有している。第１底壁２１ｂは、第１側壁２１ａに連なっている。第１底壁２１ｂには、開口が設けられている。第１側壁２１ａには、吐出口２１ａａと、吐出口２１ａｂとが設けられている。吐出口２１ａａ及び吐出口２１ａｂは、第１側壁２１ａを厚さ方向に貫通している（第１側壁２１ａを内周面から外周面に向かう方向に貫通している）。
【００４４】
第２ガイド部材２２は、第２側壁２２ａと、第２底壁２２ｂとを有している。第２側壁２２ａは、筒状の形状を有している。より具体的には、第２側壁２２ａは、円筒形状を有している。第２底壁２２ｂは、第２側壁２２ａに連なっている。第２側壁２２ａには、吐出口２２ａａと、吐出口２２ａｂとが設けられている。吐出口２２ａａ及び吐出口２２ａｂは、第２側壁２２ａを厚さ方向に貫通している（第２側壁２２ａを内周面から外周面に向かう方向に貫通している）。
【００４５】
第２底壁２２ｂは、中央部２２ｂａと、第１桟部２２ｂｂとを有していてもよい。第２底壁２２ｂは、第２桟部２２ｂｃをさらに有していてもよい。
【００４６】
中央部２２ｂａは、フィルタ部材２が仕切部材１に取り付けられた状態で、平面視において（第２底壁２２ｂに垂直な方向からみた場合に）吸入口１ｊ及び吸入口１ｋと重なる位置に配置されている。中央部２２ｂａは、その一部において吸入口１ｊ及び吸入口１ｋと重なる位置に配置されていればよい。
【００４７】
第１桟部２２ｂｂは、中央部２２ｂａから第２側壁２２ａに向かって、放射状に延在している（第２側壁２２ａの径方向に沿って延在している）。第１桟部２２ｂｂの数は、複数である。各々の第１桟部２２ｂｂは、第２側壁２２ａの周方向に沿って、間隔を置いて配置されている。各々の第１桟部２２ｂｂの間隔は、好ましくは均等になっている。
【００４８】
第２桟部２２ｂｃは、中央部２２ｂａを取り囲むように、第２側壁２２ａの周方向に沿って延在している。第２桟部２２ｂｃは、第１桟部２２ｂｂと接続している。第２桟部２２ｂｃの数は、複数である。第２桟部２２ｂｃの各々は、第２側壁２２ａの径方向に沿って間隔を置いては配置されている。そのため、第１桟部２２ｂｂと第２桟部２２ｂｃとにより画される第２底壁２２ｂの開口の大きさは、中央部２２ｂａから離れるほどに大きくなる。
【００４９】
第２ガイド部材２２は、第１ガイド部材２１に取り付けられている。第１ガイド部材２１に第２ガイド部材２２が取り付けられた状態において、第１側壁２１ａの内周面と第２側壁２２ａの外周面とが対向している。第１ガイド部材２１に第２ガイド部材２２が取り付けられた状態において、吐出口２１ａａと吐出口２２ａａとが重なり、かつ、吐出口２１ａｂと吐出口２２ａｂとが重なっている。
【００５０】
図５に示すように、フィルタ板２３は、平板形状を有している。フィルタ板２３は、第１面２３ａと、第２面２３ｂとを有している。第２面２３ｂは、第１面２３ａの反対面である。フィルタ板２３は、平面視において（第１面２３ａに垂直な方向から見た場合）、円形形状を有していることが好ましい。フィルタ板２３には、複数の貫通孔２３ｃが設けられている。複数の貫通孔２３ｃは、フィルタ板２３を厚さ方向（第１面２３ａから第２面２３ｂに向かう方向）に貫通している。
【００５１】
フィルタ板２３は、平面視において、第１領域２３ｄと、第２領域２３ｅとにより構成されている。第１領域２３ｄにおいては、フィルタ板２３に貫通孔２３ｃが設けられていない。第１領域２３ｄは、平面視において、例えば円形形状を有している。第１領域２３ｄは、フィルタ部材２が仕切部材１に取り付けられた状態において、第１領域２３ｄの少なくとも一部が、吸入口１ｊ及び吸入口１ｋに重なるように形成されていることが好ましい。
【００５２】
第２領域２３ｅにおいては、フィルタ板２３に貫通孔２３ｃが設けられている。好ましくは、第２領域２３ｅは、第１領域２３ｄを全周にわたって取り囲んでいる。すなわち、第２領域２３ｅは、平面視において、第１領域２３ｄを取り囲む円環形状を有していることが好ましい。要するに、貫通孔２３ｃが設けられていないフィルタ板２３の領域は、貫通孔２３ｃが設けられているフィルタ板２３の領域によって取り囲まれていることが好ましい。
【００５３】
図６に示すように、フィルタ板２３には、フィルタ板２３の全面にわたって、貫通孔２３ｃが設けられていてもよい。図４に示すように、フィルタ板２３は、第１底壁２１ｂに設けられた開口を覆うように第１側壁２１ａと第２側壁２２ａとに挟み込まれている。
【００５４】
図２に示すように、抵抗板３は、吸入口１ｊ及び吸入口１ｋの少なくとも一部を覆うように配置されている。このことを別の観点からいえば、抵抗板３は、吸入口１ｊ及び吸入口１ｋと平面視において（上面１ｂに垂直な方向からみた場合に）重なるように配置されている。抵抗板３は、その少なくとも一部が、吸入口１ｊ及び吸入口１ｋと、平面視において重なるように配置されていればよい。抵抗板３は、吸入口１ｊ及び吸入口１ｋとフィルタ部材２との間に配置されている。より具体的には、抵抗板３は、上面１ｂと第２底壁２２ｂとの間に配置されている。図３に示すように、抵抗板３は、第１面３ａと、第２面３ｂとを有している。第１面３ａは、上面１ｂに近い側の面である。第２面３ｂは、第１面３ａの反対面である。抵抗板３には、貫通孔３ｃが設けられていてもよい。貫通孔３ｃは、抵抗板３を厚さ方向に（第１面３ａから第２面３ｂに向かう方向に）貫通している。貫通孔３ｃの数は、複数であってもよい。抵抗板３は、仕切部材１（第２部材１２）と一体に形成されていてもよい。
【００５５】
図１に示すように、中間連結部４は、管状部４１と、フランジ部４２とを有している。管状部４１は、筒状形状を有している。好ましくは、管状部４１は、円筒形状を有している。そのため、管状部４１は、中空になっている。管状部４１の内部には、接続管１１ｃが挿入されている。管状部４１の内径は、接続管１１ｃの外径よりも大きい。すなわち、管状部４１の内周面と接続管１１ｃの外周面との間には、空間が形成されている。この空間は、第２開口１１ａｂ及び第４開口１１ａｄに接続している。
【００５６】
フランジ部４２は、管状部４１の中心軸に交差する方向において、管状部４１の外周面から張り出している。フランジ部４２は、管状部４１の仕切部材１側の端に設けられている。フランジ部４２は、底面１ｃに当接する。
【００５７】
配管接続部５は、管状部５１と、フランジ部５２とを有している。管状部５１は、筒状形状を有している。好ましくは、管状部５１は、円筒形状を有している。そのため、管状部５１は、中空になっている。管状部５１の内部には、管状部４１が嵌め込まれている。より具体的には、管状部４１は、管状部４１の外周面が管状部５１の内周面に接するように、管状部５１に取り付けられている。
【００５８】
フランジ部５２は、管状部５１の中心軸に交差する方向において、管状部５１の外周面から張り出している。フランジ部５２は、管状部５１の中間連結部４側の端に設けられている。フランジ部５２は、フランジ部４２と当接する。
【００５９】
配管接続部５は、接続口５３と、接続口５４とを有している。配管接続部５には、接続口５３及び接続口５４において、配管に接続される。図７に示すように、配管接続部５の内部には、流路５ａと、流路５ｂとが設けられている。流路５ａの一方端は、接続口５３に接続されている。流路５ａの他方端は、管状部５１に挿入された管状部４１の内周面と接続管１１ｃの外周面との間の空間に接続されている。流路５ｂの一方端は、接続口５４に接続されている。流路５ｂの他方端は、接続管１１ｃに接続されている。
【００６０】
（実施形態に係る循環アダプタ１０の動作）
以下に、実施形態に係る循環アダプタ１０の動作を説明する。
【００６１】
循環アダプタ１０においては、追い焚き動作が行われている際、浴槽内の湯水は、フィルタ部材２の貫通孔２３ｃ、吸入口１ｊ（吸入口１ｋ）、第１開口１１ａａ（第２開口１１ａｂ）、接続管１１ｃ（接続管１１ｃの外周面と管状部４１の内周面との間の空間）及び流路５ｂ（流路５ａ）を通り、接続口５４（接続口５３）から排出される。
【００６２】
他方、循環アダプタ１０においては、追い焚き動作が行われている際、熱交換器等により加熱された湯水は、接続口５３（接続口５４）に供給され、流路５ａ（流路５ｂ）、接続管１１ｃの外周面と管状部４１の内周面との間の空間（接続管１１ｃ）、第４開口１１ａｄ（第３開口１１ａｃ）、吐出口１ｉ（吐出口１ｈ）、吐出口２１ａｂ（吐出口２１ａａ）及び吐出口２２ａｂ（吐出口２２ａａ）を通って浴槽内に戻る。
【００６３】
（実施形態に係る循環アダプタ１０の効果）
以下に、実施形態に係る循環アダプタ１０の効果を説明する。
【００６４】
仕切部材１に設けられた吸入口１ｊ（吸入口１ｋ）に流れ込む湯水の流れを妨げる構造が配置されていない場合、循環アダプタ１０に流れ込む湯水の流速は、吸入口１ｊ（吸入口１ｋ）に対向している位置において、最も速くなる。そのため、仕切部材１に設けられた吸入口１ｊ（吸入口１ｋ）に流れ込む湯水の流れを妨げる構造が配置されていない場合には、浴槽中の湯水に含まれるゴミは、吸入口１ｊ（吸入口１ｋ）に対向しているフィルタ部材２上の位置に集中的に付着する。
【００６５】
しかしながら、循環アダプタ１０は、抵抗板３を有している。抵抗板３は、フィルタ部材２と吸入口１ｊ（吸入口１ｋ）との間において、吸入口１ｊ（吸入口１ｋ）の少なくとも一部を覆うように配置されている。そのため、吸入口１ｊ（吸入口１ｋ）に流れ込もうとする湯水の流速が、抵抗板３により減少する。その結果、循環アダプタ１０に吸い込まれる湯水は、吸入口１ｊ（吸入口１ｋ）に対向するフィルタ部材２上の位置に集中せずに分散して流れる。そのため、循環アダプタ１０によると、フィルタ部材２上の特定の箇所に集中的にゴミが付着することを抑制できる。
【００６６】
循環アダプタ１０においては、フィルタ部材２に湯水の流れを妨げる部分を設ける必要がないため、フィルタ部材２のデザインの自由度が上がる。そのため、循環アダプタ１０によると、デザイン性を改善することができる。以上から、循環アダプタ１０によると、フィルタ部材２上の特定の箇所に集中的にゴミが付着することを抑制しつつ、フィルタ部材２のデザイン性を改善することができる。
【００６７】
第２底壁２２ｂが中央部２２ｂａを有している場合、中央部２２ｂａにより、吸入口１ｊ（吸入口１ｋ）に流れ込もうとする湯水の流速は、中央部２２ｂａによってさらに減少する。そのため、循環アダプタ１０に吸い込まれる湯水の流れは、さらに分散される。したがって、この場合には、フィルタ部材２上の特定の箇所に集中的にゴミが付着することをさらに抑制することができる。
【００６８】
第２底壁２２ｂが第１桟部２２ｂｂを有している場合、フィルタ板２３の変形は、中央部２２ｂａ及び第１桟部２２ｂｂにより支持されることにより抑制される。そのため、この場合には、デザイン性を追求してフィルタ板２３の剛性が低下したとしても、フィルタ板２３の変形を抑制することができる。
【００６９】
第２底壁２２ｂが第２桟部２２ｂｃを有している場合、第１桟部２２ｂｂと第２桟部２２ｂｃとにより画される開口が、第２側壁２２ａの径方向に沿って中央部２２ｂａから離れるほどに大きくなる。その結果、湯水が第２底壁２２ｂを通過する際の抵抗が、中央部２２ｂａから第２側壁２２ａの径方向に沿って離れるほど小さくなり、循環アダプタ１０に吸い込まれる湯水の流れがさらに分散される。そのため、この場合には、フィルタ部材２上の特定の箇所に集中的にゴミが付着することをさらに抑制できる。
【００７０】
貫通孔２３ｃが設けられているフィルタ板２３の部分は、貫通孔２３ｃが設けられていないフィルタ板２３の部分よりも、剛性が低くなる。そのため、フィルタ板２３の全面にわたって貫通孔２３ｃが設けられている場合又は第１領域２３ｄが全周にわたって第２領域２３ｅにより取り囲まれている場合には、フィルタ板２３のデザイン性は高くなるが、フィルタ板２３の剛性が低くなる。しかしながら、第２底壁２２ｂが中央部２２ｂａと第１桟部２２ｂｂとを有している場合、フィルタ板２３は、中央部２２ｂａ及び第１桟部２２ｂｂにより支持されるため、フィルタ板２３のデザイン性を追求した結果剛性が低下したとしても、フィルタ板２３の変形を抑制することができる。
【００７１】
第１領域２３ｄが平面視において吸入口１ｊ（吸入口１ｋ）と重なるように配置されている場合、吸入口１ｊ（吸入口１ｋ）に流れ込もうとする湯水の流速は、第１領域２３ｄによってさらに減少する。そのため、循環アダプタ１０に吸い込まれる湯水の流れは、さらに分散される。したがって、この場合には、フィルタ部材２上の特定の箇所に集中的にゴミが付着することをさらに抑制することができる。
【００７２】
（実施形態に係る温水装置１００の構成）
以下に、実施形態に係る温水装置１００の構成を、図８を参照して説明する。
【００７３】
図８に示すように、温水装置１００は、循環アダプタ１０と、循環流路６１と、循環ポンプ６２を有している。循環アダプタ１０は、浴槽６３に取り付けられている。
【００７４】
循環流路６１は、配管６１ａと、熱交換器６１ｂと、配管６１ｃとを有している。配管６１ａの一方端は、循環アダプタ１０の接続口５４（接続口５３）に接続されている。配管６１ａの他方端は、熱交換器６１ｂに接続されている。配管６１ｃの一方端は、熱交換器６１ｂに接続されている。配管６１ｃの他方端は、循環アダプタ１０の接続口５３（接続口５４）に接続されている。なお、熱交換器６１ｂの近傍には、バーナ６１ｄが配置されている。
【００７５】
循環ポンプ６２は、循環流路６１上に配置されている。循環ポンプ６２により、貫通孔２３ｃを介し、浴槽６３内の湯が、図中の矢印の方向に吸い上げられる。この際、浴槽６３内の湯に含まれるゴミは、循環アダプタ用フィルタに捕捉され、循環流路６１に混入することが防止される。
【００７６】
この吸い上げられた湯は、配管６１ａを介して、熱交換器６１ｂに供給され、昇温される。熱交換器６１ｂにおいて昇温された湯は、配管６１ｃ、循環アダプタ１０の吐出口２１ａａ及び吐出口２２ａａ（吐出口２１ａｂ及び吐出口２２ａｂ）を介して、浴槽６３に戻される。
【００７７】
今回開示された実施形態は全ての点で例示であって、制限的なものではないと考えられるべきである。本発明の範囲は上記した実施の形態ではなく特許請求の範囲によって示され、特許請求の範囲と均等の意味、及び範囲内での全ての変更が含まれることが意図される。
【産業上の利用可能性】
【００７８】
上記の実施形態は、循環アダプタ用及び温水装置に特に有利に適用される。
【符号の説明】
【００７９】
１  仕切部材、１ａ  側面、１ｂ  上面、１ｃ  底面、１ｈ  吐出口、１ｉ  吐出口、１ｊ  吸入口、１ｋ  吸入口、１１  第１部材、１１ａ  底壁、１１ａａ  第１開口、１１ａｂ  第２開口、１１ａｄ  第４開口、１１ｂ  側壁、１１ｃ  接続管、１１ｄ  第１リブ、１１ｅ  第２リブ、１１ｆ  第３リブ、１１ｇ  第４リブ、１２  第２部材、１３  弁体、１３ａ  第１部分、１３ｂ  第２部分、１３ｃ  第３部分、１３ｄ  第４部分、２  フィルタ部材、２１  第１ガイド部材、２１ａ  第１側壁、２１ａａ  吐出口、２１ａｂ  吐出口、２１ｂ  第１底壁、２２  第２ガイド部材、２２ａ  第２側壁、２２ａａ  吐出口、２２ａｂ  吐出口、２２ｂ  第２底壁、２２ｂａ  中央部、２２ｂｂ  第１桟部、２２ｂｃ  第２桟部、２３  フィルタ板、２３ａ  第１面、２３ｂ  第２面、２３ｃ  貫通孔、２３ｄ  第１領域、２３ｅ  第２領域、３  抵抗板、３ａ  第１面、３ｂ  第２面、３ｃ  貫通孔、４  中間連結部、４１  管状部、４２  フランジ部、５  配管接続部、５ａ  流路、５ｂ  流路  ５１  管状部、５２  フランジ部、５３  接続口、５４  接続口、６１  循環流路、６１ａ  配管、６１ｂ  熱交換器、６１ｃ  配管、６１ｄ  バーナ、６２  ポンプ、６３  浴槽、１０  循環アダプタ、１００  温水装置。
【図１】
2019056537.tif 000003
【図２】
2019056537.tif 000004
【図３】
2019056537.tif 000005
【図４】
2019056537.tif 000006
【図５】
2019056537.tif 000007
【図６】
2019056537.tif 000008
【図７】
2019056537.tif 000009
【図８】
2019056537.tif 000010